(57)【特許請求の範囲】
【請求項１】
座席の側部に立設させた肘掛けの肘置材の下面側に吊持部を設け、この吊持部は、前記肘置材の前後方向中間部から回動または摺動により肘掛けの外方へ突出でき、不使用時に肘掛け内に収納されるとともに、収納時に吊持部の外表面が肘掛けの外表面と面一となることを特徴とする椅子用吊持装置。
【請求項２】
肘置材の下面側に、吊持部とほぼ同形の凹段部を設け、不使用時にこの凹段部内に吊持部を収納した請求項１に記載の椅子用吊持装置。
【請求項３】
吊持部には、吊持部を肘掛け外方に突出させた時、上方に起立する脱落防止部が形成されている請求項１または２に記載の椅子用吊持装置。
【発明の詳細な説明】
【０００１】
【産業上の利用分野】
本発明は、主に、肘掛け付きの椅子において使用され、必要に応じて手荷物等を掛けることが可能な椅子用吊持装置に関する。
【０００２】
【従来の技術】
従来、椅子に吊持装置を設け、必要に応じて手荷物等を掛けることができるものでは、以下、座席の下面に吊持装置を設けられたものとして実開昭５７−４２６５９号公報、また、背凭れの側面に吊持装置を設けられたものとして実開昭５９−３９２４４、及び実公平２−３２１１４号公報、さらに、背凭れの背面に吊持装置を設けられたものとして実開昭６３−５０２４９、及び実公昭５６−９３９７号公報等の考案が知られている。
【０００３】
【発明が解決しようとする課題】
しかし、これらの考案で、座席の下面に吊持装置を設けたものでは、吊持装置が見付けにくかったり、手荷物が床面に触れて汚れたりし、また、背凭れに吊持装置を設けらものでは、ホール等で椅子を並べた時に、前の列の背凭れに掛けた手荷物が後の席に座った人の邪魔になったり、座席間の移動の邪魔になったり、手荷物の掛け外しの際には椅子から立ち上がる必要があった。また、肘掛け付きの椅子であって、肘掛けが片持ちのものは、肘掛けに手荷物を掛けることが可能なものもあるが、椅子の使用者が肘掛けを使う邪魔になったり、肘掛けから手荷物が脱落してしまうといった問題があった。
【０００４】
本発明は、このような従来の欠点を解消し、吊持装置が見付け易い位置に配され、吊持装置に掛けた手荷物が邪魔にならず、手荷物を掛けない時には、通常の肘掛けの外観が維持できるよう、必要に応じて手荷物等を掛けることが可能な椅子用吊持装置を提供することを目的とする。
【０００５】
【課題を解決するための手段】
上述のような問題を解決するために、本発明の椅子用吊持装置は、座席の側部に立設させた肘掛けの肘置材の下面側に吊持部を設け、この吊持部は、前記肘置材の前後方向中間部から回動または摺動により肘掛けの外方へ突出でき、不使用時に肘掛け内に収納されるとともに、収納時に吊持部の外表面が肘掛けの外表面と面一となることを特徴としている。
【０００６】
本発明の椅子用吊持装置は、肘置材の下面側に、吊持部とほぼ同形の凹段部を設け、不使用時にこの凹段部内に吊持部を収納することもできる。
【０００９】
本発明の椅子用吊持装置は、吊持部には、吊持部を肘掛け外方に突出させた時、上方に起立する脱落防止部が形成することができる。
【００１０】
【作用】
吊持部を使用しない時には、吊持部は座席の側面に立設された肘掛けの外周面とほぼ面一に収納されるため、椅子の使用時や移動時に、使用者や作業者が吊持部に引っ掛かり怪我をしたり、吊持部自体が破損することが無く、また肘掛けの外観が損われることが無い。また、手荷物等を吊持部に掛けたい時には、吊持部を回動または摺動させて、肘掛けより外方へ吊持部を突出させることにより、吊持部へ手荷物等を掛けることができる（請求項１）。
【００１１】
肘掛けの一部に形成された吊持部とほぼ同形の凹段部に吊持部が納まることにより、ガタツキ等がなく、安定した収納が可能となる（請求項２）。
【００１３】
吊持部を肘掛けの外方へ突出させた時に、吊持部の上面外方に荷物の脱落防止部が形成されることにより、吊持部からの手荷物等の脱落を防止することができる（請求項２）。
【００１４】
【実施例】
本発明の実施例を図面に基づいて説明する。図２、図３には、図１で示されるような肘掛け付きの椅子１に好適な吊持装置が示されており、肘掛け２のパイプ材３に固定された肘置材４に吊持部８が支軸６により枢着形成されているものである。
【００１５】
肘置材４の肘置面４’には凹段部５が形成されており、この凹段部５の形状は図３に示されるように、吊持部８とほぼ同形、すなわち吊持部８の不使用時、この吊持部８が凹段部５に収納され、この収納時に、吊持部裏面９が肘置材４の肘置面４’と面一となるように構成されている。
【００１６】
さらに、開放され使用可能な状態の吊持部８には、鈎状の脱落防止部７が起立するように形成され、カバンや帽子等を脱落させないように機能する。この脱落防止部７も不使用時、図３のように凹段部５に収納され、本来の肘置材４の形状の一部をなす。すなわち、吊持装置を使用しない時には、肘掛けから突起物が一切出ない通常の肘掛けの外観の状態になる。
【００１７】
この吊持部８は支軸６で凹段部５に枢着されているが、開放時には図３の一点鎖線で示されるように、吊持部裏面９の一部が肘置材４の凹段部５の一部に係止して停止され、また支軸６とこの係止機能とにより吊持部８に掛かる荷重が支えられることになる。
【００１８】
図４、図５には、第２実施例が示され、支持アーム１０で支持された肘掛け２の下面側の支持材１１に吊持部８を枢着形成したものである。
【００１９】
これは、支持材１１の下面に凹段部５が形成されており、この凹段部の形状は吊持部８とほぼ同形、すなわち不使用時、この吊持部８が凹段部５に収納され、収納時に吊持部裏面９が支持材１１の下面と面一になるように形成されている。また、この実施例の場合も、図５に実線で示されるように鈎状の脱落防止部が凹段部５に収納され、肘掛けから突起物が出ない状態になる。
【００２０】
図６、図７には第３実施例が示され、これは樹脂材で一体成型によって形成された肘掛け２に適した吊持装置である。
【００２１】
肘掛け２の起立部内周側には、凹段部５が形成され、この凹段部５は脱落防止部７を含む吊持部８の形状とほぼ同形をなし、支軸６を軸とする水平回動により吊持部８を突出、さらには凹段部５内に収納できるようになっている。
【００２２】
図８は第４実施例であり、図４または図６に示されるような肘掛け２に適した吊持装置である。
【００２３】
肘掛け２の下面側には凹段部５が形成され、この凹段部５は脱落防止部７を含む吊持部８の形状とほぼ同形をなし、この凹段部５内を吊持部８が摺動自在に内装され、突出、さらには凹段部５内に収納できるようになっている。
【００２４】
１４は吊持部８引出し用の把手であり、吊持部８の摺動方向に形成された長孔１３には、下方から抜け止めピン１２が貫通し、肘掛け２に螺着されている。この抜け止めピン１２と長孔１３とにより、この吊持部８は移動が規制され、吊持部８が抜け落ちることがない。
【００２５】
図９には第５実施例が示されており、吊持部８と肘掛け２との間に付勢手段としてのスプリング１５が介装され、吊持部８に対する荷重が解除された際に自動的に吊持部８が凹段部５内に収納されるようになっている。
【００２６】
この付勢手段は、前述のどの吊持装置にも適用できるものであり、吊持部８のみを復帰させるだけの極く弱いスプリングで充分である。
【００２７】
以上、本発明の実施例を図面により説明してきたが、具体的な構成はこれら実施例に限られるものではなく、本発明の要旨を逸脱しない範囲における変更や追加があっても本発明に含まれる。
【００２８】
【発明の効果】
本発明は、次の効果を奏する。
【００２９】
（ａ）吊持部を使用しない時には、吊持部は座席の側面に立設された肘掛けの外周面とほぼ面一に収納されるため、椅子の使用時や移動時に、使用者や作業者が吊持部に引っ掛かり怪我をしたり、吊持部自体が破損することが無く、また肘掛けの外観が損われることが無い。また、手荷物等を吊持部に掛けたい時には、吊持部を回動または摺動させて、肘掛けより外方へ吊持部を突出させることにより、吊持部へ手荷物等を掛けることができる（請求項１）。
【００３０】
（ｂ）肘掛けの一部に形成された吊持部とほぼ同形の凹段部に吊持部が納まることにより、ガタツキ等がなく、安定した収納が可能となる（請求項２）。
【００３２】
（ｃ）吊持部を肘掛けの外方へ突出させた時に、吊持部の上面外方に荷物の脱落防止部が形成されることにより、吊持部からの手荷物等の脱落を防止することができる（請求項３）。
【００３３】
【図面の簡単な説明】
【図１】本発明の第１実施例の適用された椅子の斜視図である。
【図２】図１の部分拡大斜視図である。
【図３】図１の吊持部の断面図である。
【図４】第２実施例の部分斜視図である。
【図５】図４の部分底面図である。
【図６】図４実施例の適用された椅子の斜視図である。
【図７】図６の部分拡大斜視図である。
【図８】第５実施例の部分斜視図である。
【図９】第６実施例の吊持部の断面図である。
【符号の説明】
１      椅子                          ２      肘掛け
３      パイプ材                      ４      肘置材
４’    肘置面                        ５      凹段部
６      支軸                          ７      脱落防止部
８      吊持部                        ９      吊持部裏面
１０      支持アーム                  １１      支持材
１２      抜け止めピン                １３      長孔
１４      把手                        １５      スプリング
【図１】
0003670038.tif 000002
【図２】
0003670038.tif 000003
【図３】
0003670038.tif 000004
【図４】
0003670038.tif 000005
【図５】
0003670038.tif 000006
【図６】
0003670038.tif 000007
【図７】
0003670038.tif 000008
【図８】
0003670038.tif 000009
【図９】
0003670038.tif 000010